【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
印刷媒体に形成された係合孔に係合し、搬送路に沿って前記印刷媒体を搬送するトラクターと、
前記印刷媒体を前記搬送路に沿って搬送する搬送ローラーと、
前記トラクターおよび前記搬送ローラーを駆動するモーターと、
前記モーターからの前記印刷媒体を前記トラクターから前記搬送ローラーに向かう搬送方向に搬送する前進用回転、および、前記搬送方向の逆方向に搬送する後退用回転を、前記搬送ローラーに伝達するローラー側動力伝達機構と、
前記モーターからの前記前進用回転を、ワンウエイクラッチを介して、前記トラクターに伝達する前進用動力伝達機構と、
前記モーターからの前記後退用回転を前記トラクターに伝達する後退用動力伝達機構と、
を有することを特徴とする印刷媒体の搬送装置。
【請求項２】
前記後退用動力伝達機構は、前記印刷媒体を第１搬送速度で搬送する前記後退用回転を前記トラクターに伝達し、
前記ローラー側動力伝達機構は、前記印刷媒体を前記第１搬送速度よりも遅い第２搬送速度で搬送する前記後退用回転を前記搬送ローラーに伝達する請求項１に記載の印刷媒体の搬送装置。
【請求項３】
前記後退用動力伝達機構は、前記トラクターに伝達される前記後退用回転の伝達トルクを所定値以下に制限するトルクリミッターを備える請求項１または２に記載の印刷媒体の搬送装置。
【請求項４】
前記後退用動力伝達機構は、
前記モーターから前記後退用回転が伝達される回転軸と、
前記トラクターに配置されるトラクター軸と、
前記回転軸と同軸に固定される後退用太陽歯車と、
前記回転軸を中心として旋回自在の状態で前記回転軸に支持される遊星キャリアと、
前記遊星キャリアによって回転自在の状態で支持され、前記後退用太陽歯車に噛み合う後退用遊星歯車と、
前記トラクター軸に、前記トルクリミッターを介して同軸に取り付けられ、前記後退用遊星歯車に噛み合い可能な後退用伝達歯車と、
を備え、
前記後退用回転の伝達時に、前記遊星キャリアの旋回によって前記後退用遊星歯車が前記後退用伝達歯車に噛み合い、
前記前進用回転の伝達時に、前記遊星キャリアの旋回によって前記後退用遊星歯車が前記後退用伝達歯車から離れる請求項３に記載の印刷媒体の搬送装置。
【請求項５】
前記モーターから前記前進用回転および前記後退用回転が伝達される回転軸と、
前記トラクターに配置されるトラクター軸と、
前記回転軸と同軸に固定される前進用太陽歯車および後退用太陽歯車と、
前記回転軸を中心として回転自在の状態で当該回転軸に支持される遊星キャリアと、
前記遊星キャリアによって回転自在の状態で支持され、前記前進用太陽歯車に噛み合う前進用遊星歯車と、
前記遊星キャリアによって、前記回転軸を中心として前記前進用遊星歯車に対して所定の角度の位置に回転自在の状態で支持され、前記後退用太陽歯車に噛み合う後退用遊星歯車と、
前記トラクター軸に、前記ワンウエイクラッチを介して同軸に取り付けられ、前記前進用遊星歯車に噛み合い可能な前進用伝達歯車と、
前記トラクター回転軸に、前記トルクリミッターを介して同軸に取り付けられ、前記後退用遊星歯車に噛み合い可能な後退用伝達歯車と、
を備え、
前記前進用回転の伝達時に、前記遊星キャリアの旋回によって前記前進用遊星歯車が前記前進用伝達歯車に噛み合い、前記後退用遊星歯車が前記後退用伝達歯車から離れ、
前記後退用回転の伝達時に、前記遊星キャリアの旋回によって前記前進用遊星歯車が前記前進用伝達歯車から離れ、前記後退用遊星歯車が前記後退用伝達歯車に噛み合う請求項３に記載の印刷媒体の搬送装置。
【請求項６】
前記搬送ローラーは、無機粒子が分散された摩擦層が表面に形成される請求項１乃至５のうちのいずれか一つの項に記載の印刷媒体の搬送装置。
【請求項７】
印刷媒体に形成された係合孔に係合し、搬送路に沿って前記印刷媒体を搬送するトラクターと、
前記印刷媒体を前記搬送路に沿って搬送する搬送ローラーと、
前記トラクターおよび前記搬送ローラーを駆動するモーターと、
前記モーターからの前記印刷媒体を前記トラクターから前記搬送ローラーに向かう搬送方向に搬送する前進用回転、および、前記搬送方向の逆方向に搬送する後退用回転を、前記搬送ローラーに伝達するローラー側動力伝達機構と、
前記モーターからの前記前進用回転を、ワンウエイクラッチを介して、前記トラクターに伝達する前進用動力伝達機構と、
前記モーターからの前記後退用回転を前記トラクターに伝達する後退用動力伝達機構と、
前記印刷媒体に印刷を行う印刷部と、
を備えることを特徴とする印刷装置。
【請求項８】
前記印刷部は、前記印刷媒体にインク滴を吐出する印刷ヘッドを備える請求項７に記載の印刷装置。
【手続補正２】
【補正対象書類名】明細書
【補正対象項目名】０００７
【補正方法】変更
【補正の内容】
【０００７】
本発明の印刷媒体の搬送装置は、
印刷媒体に形成された係合孔に係合し、搬送路に沿って所定の搬送方向に搬送するトラクターと、
前記印刷媒体を前記搬送路に沿って搬送する搬送ローラーと、
前記トラクターおよび前記搬送ローラーを駆動するモーターと、
前記モーターからの前記印刷媒体を前記トラクターから前記搬送ローラーに向かう搬送方向に搬送する前進用回転、および、前記搬送方向の逆方向に搬送する後退用回転を、前記搬送ローラーに伝達するローラー側動力伝達機構と、
前記モーターからの前記前進用回転を、ワンウエイクラッチを介して、前記トラクターに伝達する前進用動力伝達機構と、
前記モーターからの前記後退用回転を前記トラクターに伝達する後退用動力伝達機構とを有している。
【手続補正３】
【補正対象書類名】明細書
【補正対象項目名】００１１
【補正方法】変更
【補正の内容】
【００１１】
本発明において、前記後退用動力伝達機構は、前記印刷媒体を第１搬送速度で搬送する前記後退用回転を前記トラクターに伝達し、前記ローラー側動力伝達機構は、前記印刷媒体を前記第１搬送速度よりも遅い第２搬送速度で搬送する前記後退用回転を前記搬送ローラーに伝達するように構成されている。
【手続補正４】
【補正対象書類名】明細書
【補正対象項目名】００１４
【補正方法】変更
【補正の内容】
【００１４】
ワンウエイクラッチに影響されずに、トラクターに後退用回転力を伝達するために設けた前記後退用動力伝達機構は、遊星歯車機構を用いて構成することができる。この場合の後退用動力伝達機構は、
前記モーターから前記後退用回転が伝達される回転軸と、
前記トラクターに配置されるトラクター軸と、
前記回転軸と同軸に固定される後退用太陽歯車と、
前記回転軸を中心として旋回自在の状態で前記回転軸に支持される遊星キャリアと、
前記遊星キャリアによって回転自在の状態で支持され、前記後退用太陽歯車に噛み合う後退用遊星歯車と、
前記トラクター軸に、前記トルクリミッターを介して同軸に取り付けられ、前記後退用遊星歯車に噛み合い可能な後退用伝達歯車と、を備え、
前記後退用回転の伝達時に、前記遊星キャリアの旋回によって前記後退用遊星歯車が前記後退用伝達歯車に噛み合い、
前記前進用回転の伝達時に、前記遊星キャリアの旋回によって前記後退用遊星歯車が前記後退用伝達歯車から離れるようになっている。
【手続補正５】
【補正対象書類名】明細書
【補正対象項目名】００１５
【補正方法】変更
【補正の内容】
【００１５】
前記前進用動力伝達機構および前記後退用動力伝達機構を、遊星歯車機構を用いて、小型でコンパクトな構成にするためには、これらの動力伝達機構から構成されるトラクター動力伝達機構を次のように構成することが望ましい。すなわち、トラクター動力伝達機構は、
前記モーターから前記前進用回転および前記後退用回転が伝達される回転軸と、
前記トラクターに配置されるトラクター軸と、
前記回転軸と同軸に固定される前進用太陽歯車および後退用太陽歯車と、
前記回転軸を中心として回転自在の状態で当該回転軸に支持される遊星キャリアと、
前記遊星キャリアによって回転自在の状態で支持され、前記前進用太陽歯車に噛み合う前進用遊星歯車と、
前記遊星キャリアによって、前記回転軸を中心として前記前進用遊星歯車に対して所定の角度の位置に回転自在の状態で支持され、前記後退用太陽歯車に噛み合う後退用遊星歯車と、
前記トラクター軸に、前記ワンウエイクラッチを介して同軸に取り付けられ、前記前進用遊星歯車に噛み合い可能な前進用伝達歯車と、
前記トラクター回転軸に、前記トルクリミッターを介して同軸に取り付けられ、前記後退用遊星歯車に噛み合い可能な後退用伝達歯車と、を備え、
前記前進用回転の伝達時に、前記遊星キャリアの旋回によって、前記前進用遊星歯車が前記前進用伝達歯車に噛み合い、前記後退用遊星歯車が前記後退用伝達歯車から離れ、
前記後退用回転の伝達時に、前記遊星キャリアの旋回によって、前記前進用遊星歯車が前記前進用伝達歯車から離れ、前記後退用遊星歯車が前記後退用伝達歯車に噛み合うようになっている。
【手続補正６】
【補正対象書類名】明細書
【補正対象項目名】００１６
【補正方法】変更
【補正の内容】
【００１６】
次に、本発明の印刷装置は、
印刷媒体に形成された係合孔に係合し、搬送路に沿って前記印刷媒体を搬送するトラクターと、
前記印刷媒体を前記搬送路に沿って搬送する搬送ローラーと、
前記トラクターおよび前記搬送ローラーを駆動するモーターと、
前記モーターからの前記印刷媒体を前記トラクターから前記搬送ローラーに向かう搬送方向に搬送する前進用回転、および、前記搬送方向の逆方向に搬送する後退用回転を、前記搬送ローラーに伝達するローラー側動力伝達機構と、
前記モーターからの前記前進用回転を、ワンウエイクラッチを介して、前記トラクターに伝達する前進用動力伝達機構と、
前記モーターからの前記後退用回転を前記トラクターに伝達する後退用動力伝達機構と、
前記印刷媒体に印刷を行う印刷部と、を備えている。前記印刷部として、前記印刷媒体にインク滴を吐出する印刷ヘッドを用いることができる。前記印刷媒体として、ファンフォールド紙を用いることができる。